(57)【特許請求の範囲】
【請求項１】
つぎの事項（１）〜（10）により特定されるカラオケリモコン予約装置。
（１）表示手段と、操作入力手段と、ビデオカメラと、送信手段と、制御手段と、記憶手段を１つのハウジングに装備したカラオケリモコン予約装置であること
（２）ハウジングは、利用者が手持ちして操作可能とすること
（３）表示手段は、ハウジングの一面に画面が配設され、制御手段の制御により情報を表示すること
（４）操作入力手段は、ハウジングの前記一面に配設されて利用者が表示手段の画面を見ながら操作可能であり、操作による利用者入力を受け付けること
（５）ビデオカメラは、ハウジングの前記一面において前記表示手段より上部に配設され、表示手段の画面に対面した利用者の顔を撮影可能とすること
（６）送信手段は、制御手段の制御によりカラオケ演奏装置本体に無線信号を送信すること
（７）制御手段は、撮影処理と、リクエスト受付処理と、送信処理を可能とすること
（８）撮影処理は、利用者入力に従いビデオカメラで撮影した動画像を表示手段に表示させるとともに、利用者入力に従い表示中の動画像をサンプリングした静止画像を記憶手段に格納すること
（９）リクエスト受付処理は、利用者入力により指定された楽曲ＩＤを記憶手段に格納すること
（10）送信処理は、撮影処理により記憶手段に格納した静止画像と、リクエスト受付処理により記憶手段に格納した楽曲ＩＤを含む無線信号を送信手段より送信させること
【発明の詳細な説明】
【０００１】
【発明の属する技術分野】
この発明はカラオケ演奏装置に関し、特にカラオケ楽曲を予約した人が誰であるかを楽しく知らせる機能を付加したものに関する。
【０００２】
【従来の技術】
一般に、最近のカラオケ演奏装置は、リモコン予約装置や操作パネルを操作することで、数曲分のリクエスト曲を順番に予約リストに登録しておくことができるようになっている。
【０００３】
【発明が解決しようとする課題】
ところで、予約リストに多数のリクエスト曲が登録されている場合には、酔っぱらって自分がリクエストしたことを忘れてしまう者や、喫煙やトイレなどで席を外す者がいて、演奏が開始されてもマイクを握ろうとする者が誰もいないということがよくある。また、同じタイトルの曲が重複してリクエストされ、順番が回ってきた時にどちらが先に歌うべきなのかわからずに互いに遠慮し合っているうちに演奏が始まってしまったり、後にリクエストしたものが先に歌ってしまって気まずい雰囲気になるといったこともよくある。
【０００４】
そのため、装置ごとに固有のリモコンＩＤを記憶しているリモコン予約装置を用い、リクエスト時に取得したリモコンＩＤをリクエスト曲の楽曲ＩＤに対応づけて予約リストに登録し、登録されている各リクエスト曲がどのリモコン予約装置によってリクエストされたものであるかを特定できるようにしたものがある。
【０００５】
しかしながら、この方法ではリモコンＩＤを送出する機能を持ったリモコン予約装置を各自が所持している必要があり、また、他人のリモコン予約装置を使用して予約操作が行われた場合には、各リクエスト曲が誰によって予約されたのかを特定することはできない。
【０００６】
本発明はこのような事情に鑑みてなされたもので、各リクエスト曲が誰によって予約されたのかを容易に特定できるようにし、これによりカラオケの楽しさを増すようにしたカラオケ演奏装置を提供することを目的とする。
【０００７】
【課題を解決するための手段】
この目的を達成するために、つぎの事項（１）〜（10）により特定されるビデオカメラ付きカラオケリモコン予約装置の発明をなした。
（１）表示手段と、操作入力手段と、ビデオカメラと、送信手段と、制御手段と、記憶手段を１つのハウジングに装備したカラオケリモコン予約装置であること
（２）ハウジングは、利用者が手持ちして操作可能とすること
（３）表示手段は、ハウジングの一面に画面が配設され、制御手段の制御により情報を表示すること
（４）操作入力手段は、ハウジングの前記一面に配設されて利用者が表示手段の画面を見ながら操作可能であり、操作による利用者入力を受け付けること
（５）ビデオカメラは、ハウジングの前記一面において前記表示手段より上部に配設され、表示手段の画面に対面した利用者の顔を撮影可能とすること
（６）送信手段は、制御手段の制御によりカラオケ演奏装置本体に無線信号を送信すること
（７）制御手段は、撮影処理と、リクエスト受付処理と、送信処理を可能とすること
（８）撮影処理は、利用者入力に従いビデオカメラで撮影した動画像を表示手段に表示させるとともに、利用者入力に従い表示中の動画像をサンプリングした静止画像を記憶手段に格納すること
（９）リクエスト受付処理は、利用者入力により指定された楽曲ＩＤを記憶手段に格納すること
（10）送信処理は、撮影処理により記憶手段に格納した静止画像と、リクエスト受付処理により記憶手段に格納した楽曲ＩＤを含む無線信号を送信手段より送信させること
【００１０】
また、１つの楽曲に対応づけされている映像データが多数コマの静止画映像で構成され、その楽曲の演奏中または演奏の前後においてその静止画映像を適当な間隔で表示するようにしてもよい。
さらに、ディスプレイに歌詞映像の背景映像となるように前記映像データを表示するようにしてもよい。
【００１１】
【発明の実施の形態】
＜通信カラオケ演奏端末の構成＞
図１は本実施例における通信カラオケ演奏端末１０の概略ブロック構成図である。通信カラオケ演奏端末１０はコンピュータ本体である中央制御装置１１によって統括制御され、通信制御装置１２を介して公衆通信網Ｎに接続しホスト装置１００との間で通信を行う。
【００１２】
ハードディスク装置１３には、伴奏データと、歌詞描出データとを含むカラオケデータが楽曲ＩＤにより整理されて格納され、適宜ホスト装置１００から配信される更新分のカラオケデータが追加される。操作パネル１５は表示器とキーボードを含んで構成される。キーボードからの操作入力信号は操作制御部１７を介して中央制御装置１１に伝達される。また、操作制御部１７にはＩｒＤＡ信号の受信部１９が接続している。
【００１３】
利用者により操作パネル１５もしくはリモコン予約装置２１により楽曲のリクエスト操作が行われると、中央制御装置１１内のメモリ上にある予約リストに楽曲ＩＤを登録する。
【００１４】
通信カラオケ演奏端末１０は、予約リスト中の楽曲ＩＤに該当するカラオケデータを、順にハードディスク装置１３から読み出して、このカラオケデータに含まれる伴奏データはシンセサイザ２３に転送する。シンセサイザ２３において伴奏データは音響信号に変換されてミキシングアンプ２５に転送され、さらに、音響信号はミキシングアンプ２５においてマイクロホン２７から入力された歌唱信号と混合されてスピーカ２９からオーディオ出力される。
【００１５】
カラオケデータに含まれる歌詞データは中央制御装置１１により順次文字列に変換されて前記オーディオ出力に同期するように歌詞映像用ビデオＲＡＭ３１に書き込まれる。さらに、この文字列には曲の進行を示す着色処理が施される。
【００１６】
映像制御装置３３は、歌詞映像用ビデオＲＡＭ３１上の文字列をビデオＣＤチェンジャ３５からの映像と合成してディスプレイ３９に出力する。
【００１７】
＜リモコン予約装置の構成＞
本実施例におけるリモコン予約装置２１は、利用者のポートレート映像を撮影する機能を備える。
【００１８】
▲１▼リモコン予約装置の外観
図２はリモコン予約装置２１を前面から見た外観図である。最上部にはＣＣＤカメラ５１が配設され、そのレンズ５３は手前方向に向く。レンズ５３の横にはフラッシュ光源５５がある。ＣＣＤカメラ５１の下方にはＬＣＤ５７がある。ＬＣＤ５７の下方にはＣＣＤカメラ５１を制御する「キャプチャ」ボタン８１、「取込み」ボタン８３、「フラッシュ」ボタン８５と、楽曲ＩＤの予約および演奏制御を行う「クリア」ボタン８９、「セット」ボタン９１、「転送」ボタン９３、「演奏中止」ボタン９５、「予約一覧」ボタン９７およびテンキーからなる操作ボタン群９９がある。また、図示していないが、リモコン予約装置２１の上部側面には、ＩｒＤＡ信号の送出部がある。
【００１９】
▲２▼リモコン予約装置内部の構成
図３はリモコン予約装置２１内部の概略ブロック構成図である。リモコン予約装置２１の全体は、ワンチップマイコン７１によって統括制御され、主要な各構成ブロックは、制御バス・データバスを含むバスライン７２により互いに連絡している。
【００２０】
映像制御回路７３はＣＣＤカメラ５１により撮影された映像と、ワンチップマイコン７１により生成された文字映像とを合成し、これをＬＣＤ５７に出力する。映像制御回路７３は、ＣＣＤカメラ５１からのリアルタイムな動画映像をＬＣＤ５７に出力するスルーモードと、スルーモードで表示されたある瞬間の映像をサンプリングした静止画映像をＬＣＤ５７に出力するフリーズモードの２つの表示モードを持つ。これら２つのモードは、「キャプチャ」ボタン８１が押される度に交互に切り換えられる。フリーズモードの状態で「取込」ボタン８３が押された場合、映像制御回路７３は、サンプリングされている静止画映像をＪＰＥＧエンコーダ７６に出力する。ＪＰＥＧエンコーダ７６は、映像制御回路７３から送られてくる静止画映像をＪＰＥＧ形式に変換してフラッシュメモリ７７に書き込む。
【００２１】
キーボード制御部７９は、操作ボタン群９９に対して行われた操作情報をワンチップマイコン７１に伝達する。ＩｒＤＡインタフェース７８はワンチップマイコン７１の指示にしたがって、バスライン７２を通じて送られてくるデータを赤外線データ信号に変換し、ＩｒＤＡ信号送出部８０から送出する。
【００２２】
＝＝＝楽曲のリクエスト受付から演奏までのシーケンス＝＝＝
▲１▼ポートレート映像の撮影手順
ポートレート映像はカラオケ演奏の開始前に撮影しておく。撮影するには、まず、「キャプチャ」ボタン８１により表示モードをスルーモードに切り換える。そして、ＬＣＤ５７上に映し出される自分の姿を見ながら撮影したいポーズを決め、適当なところで再度「キャプチャ」ボタン８１を押してフリーズモードに切り換えて静止画映像をサンプリングする。
ここで、利用者はＬＣＤ５７上に表示されている静止画映像を確認し、この静止画映像をポートレート映像として利用したい場合には「取込」ボタン８３を押してフラッシュメモリ７７に書き込む。また、再度ポーズを決め直したい場合には、「キャプチャ」ボタン８１を押してスルーモードに切り換え、再度サンプリングからやり直す。
【００２３】
▲２▼楽曲ＩＤの入力とリクエスト信号の送出
つぎに、リモコン予約装置２１に楽曲ＩＤを入力する。入力された楽曲ＩＤは、ＬＣＤ５７上に表示される。ここで利用者が「セット」ボタン９１を押せば、リモコン予約装置２１はその楽曲ＩＤをフラッシュメモリ７７に登録する。また、利用者が「クリア」ボタン８９を押せば、入力された楽曲ＩＤをキャンセルし楽曲ＩＤの再入力を促す。
ここで、利用者が「転送」ボタン９３を押すことでフラッシュメモリ７７に登録されている楽曲ＩＤおよびＪＰＥＧ形式の静止画映像は赤外線データ信号に変換され、通信カラオケ演奏端末１０へと送出される。
【００２４】
▲３▼予約リストへの登録
通信カラオケ演奏端末１０は、リモコン予約装置２１から送出されてくる赤外線データ信号を受信して、これに含まれる楽曲ＩＤを予約リストに登録し、また、ＪＰＥＧ形式の静止画映像を登録した楽曲ＩＤと対応づけてハードディスク装置１３上のデータベースに書き込む。楽曲ＩＤおよび静止画映像がそれぞれ正常に登録された場合、操作パネル１５の表示器に登録した楽曲ＩＤが表示される。
【００２５】
▲４▼リクエスト曲の演奏開始前におけるポートレート映像の表示
図１に示すように通信カラオケ演奏端末１０はＪＰＥＧデコーダ４５を備える。中央制御装置１１は適宜ＪＰＥＧデコーダ４５を制御して、ＪＥＰＧ形式のファイルをデコードし、取込映像用ビデオＲＡＭ４７に書き込む。
通信カラオケ演奏端末１０は、予約リストに登録されている各リクエスト曲の演奏開始前に、その楽曲ＩＤに対応づけられている静止画映像をハードディスク装置１３から読み出してＪＰＥＧデコーダ４５でデコードし、ポートレート映像を復元する。復元したポートレート映像は取込映像用ビデオＲＡＭ４７にビットマップ展開する。映像制御装置３３は、この映像を歌詞映像やビデオＣＤチェンジャ３５からの背景映像と共に合成し、これをディスプレイ３９に出力する。
【００２６】
▲５▼リクエスト一覧表の表示
通信カラオケ演奏端末１０は、リモコン予約装置２１の「予約一覧」ボタン９７が押された場合、ディスプレイ３９にリクエスト一覧表を表示する。図４にリクエスト一覧表の一例を示す。この図に示すように、リクエスト曲の楽曲ＩＤ、曲名、アーティスト名などの情報と共に当該楽曲ＩＤに対応づけされているポートレート映像を表示する。
【００２７】
＝＝＝その他の応用＝＝＝
＜通信カラオケ演奏端末にビデオ入力端子を設けるようにした実施例＞
他の実施形態として、図５に示すように通信カラオケ演奏端末１０にビデオ入力端子４８を設け、外部のビデオカメラにより撮影されたビデオ信号をこのビデオ入力端子４８から取り込んでこれをビデオキャプチャボード４９に与え、ビデオキャプチャボード４９でサンプリングした静止画映像をポートレート映像として用いるようにしてもよい。このとき、サンプリングするタイミング指示などの操作は、操作パネル１５上もしくはリモコン予約装置２１により行うか、このリモコン予約装置２１と同様の操作キーを操作パネル１５に設けてこれにより操作を行うようにする。また、前述したＬＣＤ５７のかわりにディスプレイ３９を用い、ポーズを確認しながらポートレート映像を撮影できるようにする。
【００２８】
＜動画映像や複数コマの映像とする方法＞
各装置の処理能力に余裕がある場合にはポートレート映像として動画映像を用いてもよく、この場合には、例えば、ＣＣＤカメラで撮影した動画映像をＭＰＥＧなどの適宜な形式でメモリに登録して用いるようにするとよい。また、ポートレート映像を多数コマの静止画映像で構成し、その楽曲の演奏中または演奏の前後においてその静止画映像を適当な間隔で表示するようにしてもよい。
【００２９】
＜「セット」ボタンを「取込」ボタンとして活用する＞
前述した実施例において、リモコン予約装置２１を用いてポートレート映像を撮影するにあたり、「セット」ボタン９１に「取込」ボタン８３の機能をもたせ、「セット」ボタン９１が押された際にポートレート映像を取込むようにすれば、リモコン予約装置２１の操作がより簡単になる。
【００３０】
＜ポートレート映像の表示タイミング＞
ポートレート映像をリクエスト曲の演奏中の背景映像として活用してもよい。また、ポートレート映像に画像処理を施して映像が多様に変化するようにしてもよい。
【００３１】
【発明の効果】
本発明によれば、楽曲の演奏開始時や、リクエスト曲の予約一覧がディスプレイに表示された際に、各リクエスト曲ごとにそのリクエスト曲を予約した者のポートレート映像が表示されるので、そのリクエスト曲をリクエストした者が誰であるかを容易に特定することができる。これにより、演奏が開始されてもマイクを握ろうとする者が誰もいないということや、同じタイトルの曲が重複してリクエストされ、順番が回ってきた時にどちらが先に歌うべきなのかわからず互いに遠慮し合っているうちに演奏が始まってしまったり、後にリクエストしたものが先に歌ってしまって気まずい雰囲気になるといったこともなく、円滑に楽しくカラオケ演奏を進めることができる。
【図面の簡単な説明】
【図１】本発明の一実施例による通信カラオケ演奏端末の概略ブロック構成を示す図である。
【図２】本発明の一実施例によるリモコン予約装置の外観を示す図である。
【図３】本発明の一実施例によるリモコン予約装置の概略ブロック構成を示す図である。
【図４】本発明の一実施例によるリクエスト一覧表を示す図である。
【図５】本発明の他の実施例による通信カラオケ演奏端末の概略ブロック構成を示す図である。
【符号の説明】
１０  通信カラオケ演奏端末
１３  ハードディスク装置
２１  リモコン予約装置
３３  映像制御装置
３９  ディスプレイ
４５  ＪＰＥＧデコーダ
４７  取込映像用ビデオＲＡＭ
【図１】
0004047191.tif 000002
【図２】
0004047191.tif 000003
【図３】
0004047191.tif 000004
【図４】
0004047191.tif 000005
【図５】
0004047191.tif 000006